(57)【特許請求の範囲】
【請求項１】
液透過性の表面シート、液不透過性の裏面シート、及び前記表面シートと前記裏面シートとの間に配置される吸収体を有する吸収性物品であって、
前記表面シートの肌当接面側には、液透過性の上層シートが設けられており、
前記上層シートは、前記吸収性物品の幅方向における中央部において前記吸収性物品の長手方向に沿って配置され、かつ着用者の排泄口に対向して配置される排泄口当接領域を含む中央領域を有しており、
前記吸収性物品には、前記表面シート及び前記上層シートを厚み方向に圧縮した上層圧搾部が形成され、かつ少なくとも前記表面シート及び前記吸収体を厚み方向に圧縮した吸収体圧搾部が形成され、
前記吸収体圧搾部は、前記上層シートよりも幅方向外側において前記吸収性物品の長手方向に沿って形成された長手方向圧搾部を有し、
前記吸収体圧搾部は、前記中央領域よりも前記長手方向外側に設けられ、間欠的に複数形成された点状の点状圧搾部を有しており、
前記点状圧搾部は、前記上層シート、前記表面シート及び前記吸収体を厚み方向に圧縮されている、吸収性物品。
【請求項２】
前記吸収体圧搾部は、前記中央領域よりも前記長手方向外側に設けられ、前記幅方向に延びる幅方向圧搾部を有しており、
前記幅方向圧搾部は、前記上層シート、前記表面シート及び前記吸収体を厚み方向に圧縮されている、請求項１に記載の吸収性物品。
【請求項３】
前記上層シートの前記幅方向における両端部には、前記表面シートに対して接合されない非接合領域が設けられており、
前記上層シートの前記長手方向圧搾部側の端部と、前記長手方向圧搾部の前記幅方向外側の端部との長さは、前記非接合領域の前記幅方向長さよりも長い、請求項１又は請求項２に記載の吸収性物品。
【請求項４】
前記上層シートの前記幅方向における両端部には、前記表面シートに対して接合されない非接合領域が設けられており、
前記吸収体と前記表面シートは、少なくとも前記非接合領域の下方において接合されていない、請求項１又は請求項２に記載の吸収性物品。
【請求項５】
前記上層圧搾部は、格子状に配置されている、請求項１から請求項４のいずれかに記載の吸収性物品。
【請求項６】
前記表面シートにおける繊維密度は、前記上層シートにおける繊維密度よりも高くなるように構成されている、請求項１から請求項５のいずれかに記載の吸収性物品。
【請求項７】
前記表面シートと前記上層シートとは、接着剤を介して接合されており、
前記接着剤は、前記長手方向に沿って延び、かつ幅方向において間隔を空けた複数の列状に配置されている、請求項１から請求項６のいずれかに記載の吸収性物品。
【発明の詳細な説明】
【技術分野】
【０００１】
本発明は、吸収性物品に関し、排泄口から排出された体液の保持性を高めることができる吸収性物品に関する。
【背景技術】
【０００２】
特許文献１には、液透過性の表面シートと、液不透過性の裏面シートと、表面シートと裏面シートとの間に配置される吸収体とを有する吸収性物品としての生理用ナプキンにおいて、表面シートと吸収体との間にセカンドシートを有する生理用ナプキンが記載されている。特許文献１のセカンドシートは、孔開きの不織布又はメッシュ状のフィルムからなり、表面シートを通過した体液を速やかに吸収体に移行させるためのものである。
【先行技術文献】
【特許文献】
【０００３】
【特許文献１】特開２００６−１４８８０号公報（第４頁、図２等）
【発明の概要】
【発明が解決しようとする課題】
【０００４】
しかしながら、出願人は、上述の吸収性物品について、以下のような問題点を発見した。
生理用ナプキンにおいて吸収される経血は、汗等の体液と比較して粘性が高い。このような比較的粘性の高い体液は、繊維等が密集した密度の高い部分よりも、繊維の隙間等の空隙部分に保持され易い。しかし、特許文献１のセカンドシートは、表面シートと吸収体とによって挟まれているため、セカンドシートの空隙部分が減少する。よって、一時的に保持させる体液の量が減り、一度に多量の体液が排出されると体液がもれるおそれがある。
【０００５】
本発明は、上述の課題に鑑みてなされたものであり、粘性の高い経血等の体液の保持性を高め、体液の漏れを抑制することができる吸収性物品を提供することを目的とする。
【課題を解決するための手段】
【０００６】
上述した課題を解決するため、本発明に係る吸収性物品は、液透過性の表面シート（表面シート１０）、液不透過性の裏面シート（裏面シート２０）、及び前記表面シートと前記裏面シートとの間に配置される吸収体（吸収体３０）を有する吸収性物品（吸収性物品１）であって、前記表面シートの肌当接面側には、液透過性の上層シート（上層シート７０）が接合されており、前記上層シートは、前記吸収性物品の幅方向（幅方向Ｗ）における中央部において前記吸収性物品の長手方向（長手方向Ｌ）に沿って配置され、かつ着用者の排泄口に対向して配置される排泄口当接領域を含む中央領域（中央領域Ａ３）を有しており、前記吸収性物品には、前記表面シート及び前記上層シートを厚み方向に圧縮した上層圧搾部（上層圧搾部７１）が形成され、かつ少なくとも前記表面シート及び前記吸収体を厚み方向に圧縮した吸収体圧搾部が形成され、前記吸収体圧搾部は、前記上層シートよりも幅方向外側において前記吸収性物品の長手方向に沿って形成された長手方向圧搾部（長手方向圧搾部８１）を有することを要旨とする。
【発明の効果】
【０００７】
本発明に係る吸収性物品は、表面シート上に接合された上層シートによって、排泄口から排泄された体液を一時的に保持することができる。上層シートは、表面シート等によって挟まれていないため、上層シート内部の空隙が確保され易い。上層シートの空隙によって比較的粘性の高い経血等の体液を一時的に溜める量が増える。よって、一度に多量の体液が排出された場合であっても、体液の漏れを抑制することができる。上層シートの幅方向外側には、長手方向圧搾部が設けられている。長手方向圧搾部は、少なくとも表面シート及び吸収体が厚み方向に圧縮されており、比較的密度が高い部分である。この圧搾部が上層シートの幅方向外側に配置されているため、上層シートによって溜めた体液を比較的密度が高い長手方向圧搾部によって引き込むことができる。
【図面の簡単な説明】
【０００８】
【図１】第１の実施形態に係る吸収性物品の肌当接面側から見た平面図である。
【図２】図１に示す吸収性物品の背面図である。
【図３】図１に示すＡ−Ａ断面の模式断面図である。
【図４】図１に示すＢ−Ｂ断面の模式断面図である。
【図５】第１の実施形態に係る吸収性物品の肌当接面側から見た平面図である。
【図６】図１に示す吸収性物品の着用した状態を模式的に示す断面図である。
【図７】本発明の実施形態に係る吸収性物品の製造方法を説明するための図である。
【図８】第２の実施形態に係る吸収性物品の肌当接面側から見た平面図である。
【発明を実施するための形態】
【０００９】
（第１の実施形態）
図１及び図２を参照して、本発明の第１の実施形態に係る吸収性物品１について説明する。図１は、吸収性物品の平面図であり、図２は、吸収性物品の背面図である。図３は、図１に示すＡ−Ａ断面図であり、図４は、図１に示すＢ−Ｂ断面図である。本実施形態に係る吸収性物品１は、例えば、生理用ナプキンである。
【００１０】
実施の形態に係る吸収性物品は、夜用の生理用ナプキンである。したがって、本実施の形態に係る吸収性物品は、長手方向において着用者の前側に位置する前側領域よりも、着用者の後側に位置する後側領域の方が長く構成されている。なお、後述する一対のウイング部の間の領域は、着用者の排泄口が当接する排泄口当接領域を含む領域であり、その領域よりも前側が前側領域となり、その領域よりも後側が後側領域となる。なお、本実施の形態では、夜用の生理用ナプキンを例に挙げて説明しているが、本発明に係る吸収性物品は、昼用の生理用ナプキンにおいても適用することができる。昼用の生理用ナプキンは、本実施の形態に係る生理用ナプキンと比較して、後側領域の長手方向の長さが短い。例えば、昼用の生理用ナプキンの後側領域の長さは、前側領域と略同じ長さとなる。
【００１１】
吸収性物品１は、着用者の肌に当接する表面シート１０と、液体を透過しない液不透過性の裏面シート２０と、吸収体３０とを有する。吸収体３０は、表面シート１０と裏面シート２０との間に配設される。従って、吸収体３０は、図１及び図２において破線で示される。吸収体３０は、吸収性物品１の長手方向Ｌ及び幅方向Ｗにおける中央部分に配設される。表面シート１０の肌当接面側には、液透過性の上層シートが接合されている。
【００１２】
吸収性物品１は、図１に示す平面視にて、長手方向Ｌに直交する幅方向Ｗにおいて吸収体３０の外側に設けられるウイング部４３,４４を備える。更に、吸収性物品１は、幅方向Ｗにおいて吸収体３０の外側に設けられるサイドシート４１，４２を備える。
【００１３】
表面シート１０は、体液等の液体を透過する液透過性のシートである。表面シート１０は、少なくとも吸収体３０の表面を覆う。表面シート１０は、不織布、織布、有孔プラスチックシート、メッシュシート等、液体を透過する構造のシート状の材料であれば、特に限定されない。織布や不織布の素材としては、天然繊維、化学繊維のいずれも使用できる。
【００１４】
裏面シート２０は、表面シート１０の長さと略同一の長さを有する。裏面シート２０は、ポリエチレンシート、ポリプロピレン等を主体としたラミネート不織布、通気性の樹脂フィルム、スパンボンド、又はスパンレース等の不織布に通気性の樹脂フィルムが接合されたシートなどを用いることができる。裏面シート２０は、着用時の違和感を生じさせない程度の柔軟性を有する材料とすることが好ましい。裏面シート２０は、不透液性且つ透湿性であることが望ましく、例えばポリエチレンやポリプロピレン等のオレフィン系樹脂に無機充填剤を溶融混練したものを延伸処理した微多孔性シートによって構成することができる。
【００１５】
吸収体３０は、親水性繊維、パルプを含む。吸収体３０は、経血などの体液を吸収可能な材料によって形成される。吸収体３０は、親水性繊維又は粉体をエアレイド法によって積層して形成されてもよいし、親水性繊維又は粉体をエアレイド法によってシート状に成形したエアレイドシートでもよいし、ティッシュ（例えば、目付１５ｇ／ｍ２）上に高吸収ポリマーを混入した粉砕パルプを配置し、ティッシュで包むことによって形成されていてもよい。
【００１６】
本実施の形態に係る吸収体３０は、綿状パルプや合成パルプ等を坪量１００〜３００ｇ／ｍ２程度に積層したパルプ８を保護紙（図示せず）で包むことによって構成されている。吸収体３０の幅方向における中央に位置するコア部３１（例えば、図３参照）の厚みは、幅方向における両側部の厚みよりも厚い。なお、吸収体３０は、全面ほぼ均一な厚みであってもよいし、非均一な厚みであってもよい。保護紙は、パルプの形状を保持するためのものであり、例えばクレープ紙やティッシュペーパーなどを用いることができる。
【００１７】
吸収体３０は、前後方向に延びる形状であり、裏面シート２０よりも略一回り程度小さい。吸収体３０の幅方向Ｗの長さは、成人女性の股間隔に対応しており、概ね５０〜８０ｍｍである。吸収体３０は、ホットメルトなどの接着剤によって裏面シート２０に接着される。また、本実施の形態では、吸収体３０と表面シート１０とは、ホットメルト接着剤６０によって接着されている（図３参照）。
【００１８】
コア部３１は、少なくとも着用者の排泄口が当接する排泄口当接領域の中心を含むように設けられる。排泄口当接領域の中心とは、着用者の排泄口が当接する領域の長手方向及び幅方向の中心である。例えば、ウイング部を有する吸収性物品においては、ウイング部の長手方向の中心が、排泄口当接領域の長手方向の中心となる。また、ウイング部を有しない吸収性物品においては、吸収体の幅方向の長さ寸法が最も短い位置が、排泄口当接領域の長手方向の中心となる。排泄口当接領域は、着用者の股間部と当接する領域に含まれており、着用者の両脚の間に位置する。
【００１９】
サイドシート４１，４２は、表面シート１０の両側に配設される。サイドシート４１，４２は、表面シート１０と同様の材料から選ぶことができる。但し、サイドシート４１，４２を乗り越えて吸収性物品１外方へ経血が流れることを防止するためには、疎水性又は撥水性を有することが好ましい。サイドシート４１，４２は、吸収体３０の側縁の一部及びウイング部４３，４４を覆う。
【００２０】
吸収性物品１では、表面シート１０、サイドシート４１，４２、及び裏面シート２０の周縁が接合されて、吸収体３０が内封される。表面シート１０と裏面シート２０との接合方法としては、ヒートエンボス加工、超音波、又はホットメルト接着剤のいずれか一つ、又は複数を組み合わせることが可能である。
【００２１】
裏面シート２０において、下着と接触する表面には、複数の領域において粘着材５０が塗布されている（図２参照）。粘着材５０は、吸収体の裏面側において長手方向Ｌに沿って間欠的に配置されている。粘着材５０は、ウイング部４３及びウイング部４４において、下着と接触する表面にも設けられる。使用前の状態では、粘着材５０は、剥離シート９０に接している。剥離シート９０は、使用前に粘着材５０が劣化するのを防止している。そして、使用時に着用者によって剥離シート９０が剥離される。
【００２２】
なお、剥離シート９０を有しない吸収性物品においては、吸収性物品を個別に包装する包装シートによって使用前に粘着材が劣化するのを防止するように構成されていてもよい。粘着材と包装シートが接する場合には、包装シートの表面には、粘着材の粘着力を低下させることなく粘着材を剥離可能にする処理を施すことが望ましい。
【００２３】
上層シート７０は、体液等の液体を透過する液透過性のシートである。上層シート７０は、不織布、織布、有孔プラスチックシート、メッシュシート等、液体を透過する構造のシート状の材料であれば、特に限定されない。織布や不織布の素材としては、天然繊維、化学繊維のいずれも使用できる。上層シート７０は、長手方向Ｌに延びる折り目を基点として折り畳まれており、吸収性物品の厚み方向Ｔにおいて２層又は３層に積層されている。
【００２４】
このように上層シート７０を折り畳んで積層することにより、上層シート７０の嵩高を維持し、上層シート７０内の空隙を確保することができる。折り畳まれた上層シートの層間は、ホットメルト接着剤によって接合されている。
【００２５】
上層シート７０の層間のホットメルト接着剤は、長手方向に沿って配置されていることが望ましい。接着剤が疎水性の場合には、排泄口から排出された体液を上層シートによって保持した際に、疎水性の接着領域を避けて（接着領域に沿って）、長手方向に体液を拡散させることができる。
【００２６】
なお、本実施の形態では、上層シート７０は積層して構成されているが、空隙を確保できる構成であればよく、例えば比較的嵩高のシート材を用いる場合においては、必ずしも積層されていなくてもよい。本実施の形態に係る上層シート７０は、目付２０ｇ／ｍ２のエアースルー不織布であり、芯が2.2dtexのPET、鞘がPEの芯鞘構造の複合繊維からなる。この不織布に対して嵩回復処理（温度90度で10分間放置）を施し、密度が0.025ｇ/cm3になるように調整している。このように上層シートに嵩回処理を施すことにより、上層シートの空隙を増やし、体液の保持性を向上させることができる。また、エアースルー不織布は、比較的空隙が多い不織布であり、体液の保持性を比較的高くすることができる。
【００２７】
また、本実施の形態に係る表面シート１０は、目付２５ｇ／ｍ２のエアースルー不織布であり、芯が2.2dtexのPET、鞘がPEの芯鞘構造の複合繊維からなる。なお、表面シートは、嵩回復処理を施していなく、密度は、0.055ｇ/cm3である。
【００２８】
このように表面シート１０の繊維密度を上層シートの繊維密度よりも高く構成することにより、密度勾配によって上層シート７０から表面シート１０へ体液をスムーズに移行させることができる。また、嵩回復処理によって上層シートの密度が低下することにより、表面シートとの密度差を設け、密度勾配による上層シートから表面シートへ体液を円滑に移行させることが可能となる。具体的には、密度の低い上層シートによって保持した体液を、密度の高い表面シートに移行させることができる。
【００２９】
上層シート７０は、表面シート１０の肌当接面側に接合されており、吸収性物品１の幅方向における中央部において吸収性物品１の長手方向Ｌに沿って配置されている。上層シート７０の長手方向Ｌの長さは、吸収性物品１の長手方向Ｌの長さと略同じであり、上層シート７０の幅方向Ｗの長さは、吸収性物品１の幅方向Ｗの長さよりも短く、吸収体３０の幅方向Ｗの長さよりも短い。
【００３０】
上層シート７０は、表面シート１０に接着剤を介して接着された接着領域Ａ１と、表面シート１０に接着剤を介して接着されない非接着領域Ａ２とを備える。図５は、図１に示す吸収性物品の平面図であって、接着領域Ａ１と非接着領域Ａ２とを示した図である。図５において、接着領域Ａ１は、斜線を付した領域である。接着領域Ａ１は、上層シート７０の幅方向Ｗの中央部において長手方向Ｌに沿って２列に配置されている。
【００３１】
上層シート７０は、着用者の排泄口に対向して配置される排泄口当接領域を含む中央領域を有している。排泄口当接領域は、着用者の排泄口が当接する領域である。中央領域Ａ３は、排泄口当接領域の中心を少なくとも含む領域であればよく、中央領域Ａ１の中心が排泄口当接領域の中心であってもよいし、中央領域Ａ３の中心と排泄口当接領域の中心とがずれていてもよい。本実施の形態では、後述する第１長手方向圧搾部８１Ａと第１幅方向圧搾部８２Ａとの内側に位置する領域が中央領域Ａ３となる。
【００３２】
接着領域Ａ１を幅方向に沿って２列に設けることにより、上層シートの幅方向両端部と、２列の接着領域Ａ１間とに非接着領域をＡ２設けることができる。例えば、接着領域Ａ１は、シート同士が接着されており、シート内の空隙が減少することがある。よって、接着領域Ａ１は、非接着領域Ａ２に比べて体液の保持性が低下することがある。しかし、吸収体の幅方向中央部に非接着領域を配置することにより、吸収体の幅方向中央部における体液の保持性を維持することができる。
【００３３】
また、接着剤が疎水性の場合には、接着領域間に長手方向に延びる非接着領域を設けることにより、排泄口から排出された体液を上層シートによって引き込んだ後、疎水性の接着領域を避けて（接着領域に沿って）長手方向に体液を拡散させることができる。なお、本実施の形態では、接着領域を２列で設けて接着領域間に非接着領域を設けているが、接着領域を１列で設けてもよいし、接着領域を３列以上で設けてもよい。
【００３４】
吸収性物品１には、少なくとも表面シート１０及び吸収体３０を厚み方向に圧縮した圧搾部８０が形成されている。圧搾部８０は、長手方向Ｌに沿って延びる長手方向圧搾部８１と、幅方向に沿って延びる幅方向圧搾部８２と、間欠的に複数形成された点状圧搾部８３と、を有する。
【００３５】
長手方向圧搾部８１は、上層シート７０よりも幅方向外側において、上層シート７０に隣接して配置されている。長手方向圧搾部８１は、表面シート１０と吸収体３０とが厚み方向において圧縮されている。長手方向圧搾部８１は、長手方向Ｌに沿って２列に形成されており、幅方向内側に位置する第１長手方向圧搾部８１Ａと、第１長手方向圧搾部８１Ａよりも幅方向外側に配置された第２長手方向圧搾部８１Ｂとを有する。
【００３６】
長手方向圧搾部８１は、上層シート７０に隣接して配置されている。長手方向圧搾部８１は、吸収体３０が厚み方向に圧縮されており、体液等を引き込み易い。したがって、上層シート７０によって一時的に保持した体液を上層シート７０の近傍で引き込むことができ、上層シートによって保持した体液を迅速に吸収することができる。また、長手方向圧搾部８１よりも幅方向外側への体液の拡散を抑制し、横漏れを防ぐことができる。
【００３７】
幅方向圧搾部８２は、幅方向Ｗに沿って形成されている。上層シート７０が配置された領域に形成された幅方向圧搾部８２は、上層シート７０、表面シート１０及び吸収体３０が厚み方向において圧縮されて形成されている。上層シート７０が配置されていない領域に形成された幅方向圧搾部８２は、表面シート１０及び吸収体３０が厚み方向において圧縮されて形成されている。幅方向圧搾部８２は、幅方向Ｗに沿って２列に形成されており、長手方向内側に位置する第１幅方向圧搾部８２Ａと、第１幅方向圧搾部よりも長手方向外側に配置された第２幅方向圧搾部８２Ｂとを有する。
【００３８】
長手方向圧搾部８１は、長手方向Ｌに沿った直線に対して傾斜するように形成されていてもよく、長手方向Ｌに沿った直線と、長手方向圧搾部８１とによって形成される角度（鋭角側）が４５度以下であるものとする。一方、幅方向圧搾部８２は、幅方向Ｗに沿った直線に対して傾斜するように形成されていてもよく、幅方向Ｗに沿った直線と、幅方向圧搾部８２とによって形成される角度（鋭角側）が４５度未満であるものとする。
【００３９】
ここで、長手方向圧搾部８１及び幅方向圧搾部８２は、図１に示すように、接続されて周回状の圧搾部を形成していてもよいし、接続されていなくてもよい。本実施の形態では、第１長手方向圧搾部８１Ａと第１幅方向圧搾部８２Ａとが連続して形成されており、第２長手方向圧搾部８１Ｂと第２幅方向圧搾部８２Ｂとが連続して形成されている。また、長手方向圧搾部及び幅方向圧搾部は、接続されて略Ｕ字状の圧搾部を形成していてもよいし、接続されていなくてもよい。図５において、長手方向圧搾部と幅方向圧搾部との境界Ｘを図示する。
【００４０】
点状圧搾部８３は、円形状であって、間欠的に複数形成されている。点状圧搾部８３は、第１長手方向圧搾部８１Ａ及び第１幅方向圧搾部８２Ａによって形成された周回状の圧搾部の外周であって、吸収体３０の前側端部と吸収体３０の後側端部とに形成されている。なお、点状圧搾部は、間欠的に複数設けられていればよく、その形状は、円形に限られず、楕円形、星形、ハード形、菱形等であってもよく、限定されない。
【００４１】
吸収体３０の前側端部と吸収体３０の後側端部とにおいて、点状圧搾部によって上層シート、表面シート及び吸収体が一体化して接合されているため、表面から吸収層の距離が縮まる。着用者から排出されて後方に流れた体液は、上層シートの空隙で保持されて、点状圧搾部８３において引き込むことができる。点状圧搾部８３は、点在しているため、あらゆる方向に流れる体液に対して接触し易く、体液を引き込みやすい。
【００４２】
点状圧搾部は、間欠的に配置されているため、幅方向に延びる幅方向圧搾部や長手方向に延びる長手方向圧搾部よりも硬くなり難い。しかし、点状圧搾部は、一部の領域の剛性が偏って硬くなることを防止することができ、装着感の悪化を抑制できる。
【００４３】
また、例えば、圧搾部が幅方向に延びていたり、長手方向に延びていたりすると、圧搾部によって保持される体液が前後方向や幅方向に拡散してしまうおそれがある。特に、点状圧搾部８３は、吸収体３０の前側端部と吸収体３０の後側端部とに配置されており、体液が拡散し過ぎると前漏れ等が発生するおそれがある。しかし、点状圧搾部は、円形であるため、保持した体液の拡散を抑制し、漏れを防ぐことができる。
【００４４】
なお、圧搾部８０は、上層シート７０が配置されている領域においては、上層シート７０、表面シート１０及び吸収体３０を厚み方向に圧縮して形成されており、上層シート７０が配置されていない領域においては、表面シート１０及び吸収体３０を厚み方向に圧縮して形成されている。
【００４５】
上層シート７０の圧搾部８０が形成された部分は、圧搾加工によって表面シート１０と接合されている。よって、上層シート７０と表面シート１０とが接合されない非接合領域Ｓ１は、接着剤によって表面シート１０と上層シート７０とが接合されていない非接着領域Ａ２であって、かつ、圧搾部８０が形成されていない領域である。非接合領域Ｓ１は、図５にてドットを付した領域である。なお、ここでいう圧搾部が形成されていない領域とは、長手方向における上層シートに形成された圧搾部間の領域である。非接合領域Ｓ１は、接着剤によって表面シートと上層シートが接合されていなく、かつ圧搾部８０が形成されていない領域であり、上層圧搾部７１によって上層シートと表面シートが部分的に接合される場合において、上層圧搾部７１によって接合された部分も含む概念である。
【００４６】
圧搾部８０は、少なくとも表面シート１０及び吸収体３０を厚み方向に圧縮して形成されており、比較的密度が高い部分となる。上層シート７０の非接合領域Ｓ１の周囲に圧搾部８０を形成することにより、上層シート７０によって一時的に保持した体液を、比較的密度が高い圧搾部によって引き込むことができる。例えば、非接合領域Ｓ１の幅方向外側に長手方向圧搾部８１が形成されているため、横漏れを防ぐことができ、非接合領域Ｓ１の長手方向外側に幅方向圧搾部８２が形成されているため、前漏れ及び臀部における漏れを防止することができる。
【００４７】
また、圧搾部８０は、少なくとも表面シート１０及び吸収体３０を厚み方向に圧縮して形成されており、比較的硬い部分となる。上層シート７０の幅方向外側に長手方向圧搾部８１が形成されているため、幅方向外側から内側にむけて押圧された際に長手方向圧搾部８１を基点に内側に向けて変形し、外力を吸収することができる。また、幅方向に延びる幅方向圧搾部が形成されているため、幅方向外側からの力に対する抵抗が大きくなる。よって、吸収性物品１を装着した着用者が両脚を閉じた状態等、吸収性物品１の幅方向両外側から内側に向かって力が掛かった場合に、吸収体の変形を抑制することができる。
【００４８】
上層シート７０には、表面シート１０及び上層シート７０を厚み方向に圧縮した上層圧搾部７１が形成されている。上層圧搾部７１は、格子状に配置されている。上層圧搾部７１が形成された部分は、表面シート１０と上層シート７０が圧縮されて密着している。よって、上層圧搾部７１を形成することにより、上層シート７０から表面シート１０への体液の移行性を高めることができる。一方、上層シート７０のうち上層圧搾部７１以外の部分では空隙を保持できるため、体液の一時的な保持を維持することができる。
【００４９】
上層圧搾部７１は、長手方向Ｌに対して傾斜して配置されている。よって、吸収性物品１が幅方向外側から内側に押圧された際に、傾斜した上層圧搾部７１に沿って折れ曲がりやすくなり、吸収性物品が長手方向に沿って折り曲がることを抑制できる。また、上層圧搾部の格子形状は、幅方向よりも長手方向が長い菱形状であるため、体液が幅方向に拡散し難くなる。
【００５０】
図６は、図１のＡ−Ａ断面における吸収性物品の着用した状態を模式的に示した図である。（ａ）は、吸収性物品１を下着Ｓに装着した状態を示している。吸収性物品１の幅方向外側に配置されるウイング部４３、４４は、下着の裏面側に折り返されている。（ｂ）は、吸収性物品１が幅方向外側から内側に向けて押圧された状態を示している。
【００５１】
吸収性物品１が幅方向外側から内側に向けて押圧されると、第１長手方向圧搾部８１Ａ及び第２長手方向圧搾部８１Ｂを基点に内側に向けて変形する。
【００５２】
上層シート７０は、吸収体３０の幅方向における中央部のみにおいて表面シート１０に接合されており、その両側には非接着領域Ａ２が配置されている。よって、接着領域Ａ１の上層シート７０は、表面シート１０と共に押し上げられ、非接着領域Ａ２の上層シート７０は、表面シート１０と分離し、水平な状態で押し上げられる。このように変形することにより、上層シート７０は、排泄口等着用者の身体に対向した状態で維持される。また、上層シート７０は、着用者側（上方に）押し上げられるため、排泄口に上層シート７０を近付けることができ、排泄口から排泄された体液を迅速に上層シートに引き込むことが可能となる。
【００５３】
また、吸収性物品１は、上層シート７０よりも幅方向外側において上層シート７０に隣接した第１長手方向圧搾部８１Ａを基点にして幅方向内側に変形し、吸収体３０が幅方向外側から内側への外力を吸収するように構成されている。よって、吸収性物品１を装着した着用者が両脚を閉じた状態等、吸収性物品１の幅方向両外側から内側に向かって力が掛かった場合に、上層シート７０の変形を抑制することができる。また、長手方向圧搾部８１は、少なくとも排泄口当接領域を跨いで長手方向に延びて形成されているため、少なくとも着用者の排泄口に対向して上層シートを配することができる。
【００５４】
上層シートの非接合領域Ｓ１は、表面シート１０に接合されていないため、吸収性物品が幅方向外側から内側に押圧された際に、表面シート等の変形に基づく上層シートの変形を少なくすることができる。よって、上層シートを排泄口等着用者の身体に対向した状態で維持し易くなる。
【００５５】
上層シート７０の長手方向圧搾部側の端部と、長手方向圧搾部の幅方向外側の端部との長さＬ１は、非接合領域の幅方向長さＬ２よりも長い。長さＬ１が長さＬ２よりも長いことにより、吸収性物品１が幅方向外側から内側に押圧されて、長手方向外側圧搾部が幅方向における内側に移動するように変形した場合であっても、上層シート７０よりも幅方向外側に長手方向圧搾部８１が配置される。よって、上層シート７０によって一時的に保持した体液を長手方向圧搾部８１にて引き込み、横漏れを防ぐことができる。なお、長手方向圧搾部８１の幅方向外側の端部は、２本形成されている場合には、最も外側に位置する端部である。
【００５６】
一方、吸収体の前端部及び後端部には、点状圧搾部８３が形成されており、吸収体の前端部及び後端部は、幅方向に沿って折れ曲がり易くなったり、長手方向に沿って折れ曲がり易くなったりしない。したがって、吸収体３０は、前後方向において着用者の身体の外形に沿って曲がり易くなり、吸収性物品のフィット性を向上させることができる。
【００５７】
なお、圧搾部は、少なくとも表面シート１０及び吸収体３０を厚み方向Ｔに圧搾されて形成されていればよく、種々の構成を採用することができる。例えば、プレス加工やエンボス加工によって形成することができ、その形状は、格子網やハニカム形状であってもよい。
【００５８】
なお、吸収性物品等の硬さは、例えば、ＪＩＳ-１０９６に規定されているガーレー法を用いて測定することができる。また、吸収体の目付及び密度は、例えば、以下の測定方法によって測定することができる。包装体によって包装された吸収性物品においては包装体を開封し、折り畳まれた吸収性物品を展開して、目付及び密度を測定する部分の厚み及び面積を測定する。次いで、目付及び密度を測定する部分を吸収性物品から切り出し、切り出した部分の重量を測定する。次いで、切り出した部分から表面シート及び裏面シート等、吸収体以外の部分を取り除き、吸収体の重量を測定する。吸収体の重量と、目付及び密度を測定する部分の面積とに基づいて目付を算出する。目付及び厚みに基づいて、密度を算出する。
【００５９】
なお、厚みは、以下のような測定方法によって測定することができる。具体的には、サンプルの吸収性物品を、液体窒素に含浸させて凍結させた後、剃刀でカットし、常温に戻した後、電子顕微鏡（例えば、キーエンス社ＶＥ７８００）を用いて、５０倍の倍率で測定する。ここで、サンプルの吸収性物品を凍結させる理由は、カット時の圧縮により厚みが変動するのを防ぐためである。
【００６０】
次に、図７を参照して、本実施形態に係る吸収性物品１の製造方法の一部について説明する。なお、図７に記載されていない方法については、既存の方法を用いることができる。吸収性物品の製造方法は、図７に示すように、ステップ１０１において、上層第１生成工程を行う。具体的には、上層第１生成工程において、上層シート７０に嵩高回復処理を施した後、上層シートを３つ折りに折り畳む。そして、表面シート１０上にホットメルト接着剤６０を介して上層シート７０を接着する。嵩高回復処理は、例えば、上層シートを熱風が供給されている容器内を通過させることにより行う。
【００６１】
次いで、ステップ１０２において、上層第２生成工程を行う。具体的には、表面シート１０と上層シート７０を厚み方向Ｔに圧縮加工し、上層圧搾部７１を形成する。この圧縮加工は、例えば、加熱及び加圧を行うエンボスロール（上層シート側が凸状パターンであって、表面シート側がフラットパターン）を、上層シート７０及び表面シート１０を通過させることで、格子状の凹凸加工が形成される。
【００６２】
ステップ１０３において、上層第３生成工程を行う。具体的には、表面シートとサイドシート４１，４２とを、例えば熱溶着によって接着する。
【００６３】
次いで、ステップ１０４において、吸収体成型工程を行う。具体的には、成型ドラムによって吸収体の材料となるパルプを成型して吸収体３０を成型する。なお、ステップ１０１〜１０３の上層生成工程と、ステップ１０４の吸収体成型工程の順序は、逆の順序であってもよい。
【００６４】
ステップ１０５において、接合工程を行う。具体的には、ステップ１０３において生成した上層と、ステップ１０４において成型した吸収体３０とを接合する接合工程を行う。
【００６５】
ステップ１０６において、圧搾工程を行う。具体的には、吸収体３０と表面シート１０とを厚み方向に圧縮し、かつ上層シート、表面シート及び吸収体３０を厚み方向に圧縮し、圧搾部８０を形成する。ステップ１０７において、裏面シート接合工程を行う。具体的には、ステップ１０６において圧搾部を形成した吸収体及び表面シート等と、裏面シートとを接合する。なお、図７においては、図示しないが、裏面シートを接合した後、接着剤を塗布する工程を備える。上記の工程により、本実施の形態に係る吸収性物品を製造することができる。
【００６６】
（第２の実施形態）
次いで、図８に基づいて第２の実施形態に係る吸収性物品１Ａについて説明する。第２の実施形態に係る吸収性物品１Ａは、昼用の生理用ナプキンである。第２の実施形態に係る吸収性物品１Ａは、吸収性物品の後側領域の長さが前側領域と略同じ長さとなる。第２の実施形態において、第１の実施形態と同様の構成については、同符号を用いて説明を省略する。
【００６７】
第２の実施形態に係る吸収性物品の上層シート７０は、長手方向の長さが吸収性物品の長手方向の長さよりも短い。上層シート７０は、吸収体３０の長手方向の中央であって、幅方向の中央に配置されており、排泄口当接領域を覆うように配置されている。上層シート７０には、表面シート１０とともに厚み方向に圧縮された点状の圧搾部７２が形成されている。この点状の圧搾部によって上層シート７０と表面シート１０とが接合されている。
【００６８】
上述したように、本発明の実施形態を通じて本発明の内容を開示したが、この開示の一部をなす論述及び図面は、本発明を限定するものであると理解すべきではない。この開示から当業者には様々な代替実施の形態、実施例及び運用技術が明らかとなる。
【００６９】
例えば、本実施の形態に係る長手方向圧搾部は、第１長手方向圧搾部及び第２長手方向圧搾部の２本であるが、１本であってもよい。また、例えば、吸収性物品は、吸収体の幅方向外側端部に、ギャザーが形成されていてもよい。
【００７０】
本実施形態では、吸収体と表面シートは、接着剤を介して接着されているが、吸収体と表面シートは、少なくとも非接合領域の下方において接合されていなくてもよい。吸収体と上層シートとが非接合領域の下方にて接合されていないことにより、吸収性物品が幅方向外側から内側に押圧された際に、吸収体の変形に基づく上層シートの変形を少なくすることができる。
【００７１】
具体的には、吸収体は、吸収性物品が幅方向外側から内側に押圧されると、幅方向長さが短くなって厚みが厚くなる。したがって、吸収体上に配置された表面シートと上層シートが上側に押し上げられる。このとき、表面シートは、吸収体と接合されずに吸収体上に配置されているため、吸収体の幅方向の影響を受けずに厚み方向の変形のみ受けて、押し上げられる。よって、上層シートも押し上げられて、上層シートを排泄口等着用者の身体に対向した状態で維持し易くなる。
【符号の説明】
【００７２】
Ａ１…接着領域、  Ａ２…非接着領域、  Ｌ…長手方向、  Ｓ１…非接合領域、  Ｔ…厚み方向、  Ｗ…幅方向、  Ｘ…境界、  １…吸収性物品、  １０…表面シート、  ２０…裏面シート、  ３０…吸収体、  ３１…コア部、  ４１，４２…サイドシート、  ４３，４４…ウイング部、  ５０…粘着材、  ６０…ホットメルト接着剤、  ７０…上層シート、  ７１…上層圧搾部、  ８０…圧搾部、  ８１…長手方向圧搾部、  ８１Ａ…第１長手方向圧搾部、  ８１Ｂ…第２長手方向圧搾部、  ８２…幅方向圧搾部、  ８２Ａ…第１幅方向圧搾部、  ８２Ｂ…第２幅方向圧搾部、  ８３…点状圧搾部、  ９０…剥離シート
【図１】
0005684046.tif 000002
【図２】
0005684046.tif 000003
【図３】
0005684046.tif 000004
【図４】
0005684046.tif 000005
【図５】
0005684046.tif 000006
【図６】
0005684046.tif 000007
【図７】
0005684046.tif 000008
【図８】
0005684046.tif 000009